(57)【要約】【課題】時計が置かれた状態に応じて表示を見易くする。【解決手段】時表示用回転板は、時情報を表示し、これと並行して横置き検出センサ２６は、ケース１１の置かれた状態を検出し、向き変更部は、検出の結果に基づいて時表示用回転板の向きを変更する。これと並行して、ケース１１の置かれた状態に応じた１２時方向となるように時刻の再表示処理を行う。【選択図】      図４
2004271307.tif 000002
【特許請求の範囲】
【請求項１】
ケースと、
前記ケースに内蔵され時情報を表示する時情報表示部と、
前記ケースの置かれた状態を検出する検出部と、
前記検出の結果に基づいて前記時情報表示部の向きを変更する向き変更部と、
を、備えたことを特徴とする計時装置。
【請求項２】
請求項１記載の計時装置において、
前記向き変更部は、所定の正時における短針指示方向を示す時表示用回転板と、
前記時表示用回転板を前記検出の結果に基づいて回転させる時表示回転駆動部と、
時表示用指針の向きを前記検出の結果に基づいて前記時表示用回転板の回転位置に対応する位置まで駆動する指針駆動部と、
を備えたことを特徴とする計時装置。
【請求項３】
請求項２記載の計時装置において、
前記時表示用回転板の一部を視認させるための視認用窓を有し、前記時表示用回転板を覆う文字板を備えたことを特徴とする計時装置。
【請求項４】
請求項１記載の計時装置において、
前記向き変更部は、所定の正時における短針指示方向を示す正時方向指示用指針と、
前記正時方向指示用指針を前記検出の結果に基づいて回転させる指示用指針回転駆動部と、
時表示用指針の向きを前記検出の結果に基づいて前記正時方向指示用指針の回転位置に対応する位置まで駆動する指針駆動部と、
を備えたことを特徴とする計時装置。
【請求項５】
請求項１ないし請求項３のいずれかに記載の計時装置において、
前記時情報表示部は、カレンダ表示を行うカレンダ表示部を有し、
前記向き変更部は、前記カレンダ表示部を前記検出の結果に基づいて回転させるカレンダ回転駆動部を有する、
ことを特徴とする計時装置。
【請求項６】
ケースと、前記ケースに内蔵され時情報を表示する時情報表示部を備えた計時装置の制御方法において、
前記ケースの置かれた状態を検出する検出過程と、
前記検出の結果に基づいて前記時情報表示部の向きを変更する向き変更過程と、
を、備えたことを特徴とする計時装置の制御方法。
【請求項７】
請求項６記載の計時装置の制御方法において、
前記向き変更過程は、所定の正時における短針指示方向を前記検出の結果に基づいて回転させる時表示回転過程と、
時表示用指針の向きを前記検出の結果に基づいて前記短針指示方向の回転位置に対応する位置まで駆動する指針駆動過程と、
を備えたことを特徴とする計時装置の制御方法。
【請求項８】
請求項６または請求項７記載の計時装置の制御方法において、
前記向き変更過程は、カレンダ表示を行うカレンダ表示部を前記検出の結果に基づいて回転させるカレンダ回転過程を備えたことを特徴とする計時装置の制御方法。
【発明の詳細な説明】
【０００１】
【発明の属する技術分野】
本発明は、計時装置および計時装置の制御方法に係り、特に時刻の視認性を向上させる技術に関する。
【従来の技術】
従来の腕時計においては、時刻表示部の１２時位置は腕につけたときに見易いように本体ケースの上端側に位置するように配置されている（例えば、特許文献１参照）。
上記従来の腕時計は、本体ケースの上端および下端にそれぞれ装着用のバンドが設けられ、各バンドの一端には、両バンドを結合するための結合部材（あるいは結合機構）が設けられている。
【０００２】
【特許文献１】
特開平１１−２３９５０６号公報
【０００３】
【発明が解決しようとする課題】
しかしながら、上端及び下端の二つのバンドが連結されてリング状に形成されたバンドを有する腕時計は、卓上などに置く場合には、文字板が９０度傾いた状態となる。
この結果、時間が読み取りにくくなってしまうという問題点があった。
そこで、本発明の目的は、時計が置かれた状態に応じて表示を見易くすることが可能な計時装置および計時装置の制御方法を提供することにある。
【０００４】
【課題を解決するための手段】
上記課題を解決するため、計時装置は、ケースと、前記ケースに内蔵され時情報を表示する時情報表示部と、前記ケースの置かれた状態を検出する検出部と、
前記検出の結果に基づいて前記時情報表示部の向きを変更する向き変更部と、
を、備えたことを特徴としている。
上記構成によれば、時情報表示部は、時情報を表示する。
これと並行して検出部は、ケースの置かれた状態を検出する。
向き変更部は、検出の結果に基づいて時情報表示部の向きを変更する。
【０００５】
この場合において、前記向き変更部は、所定の正時における短針指示方向を示す時表示用回転板と、前記時表示用回転板を前記検出の結果に基づいて回転させる時表示回転駆動部と、時表示用指針の向きを前記検出の結果に基づいて前記時表示用回転板の回転位置に対応する位置まで駆動する指針駆動部と、を備えるようにしてもよい。
また、前記時表示用回転板の一部を視認させるための視認用窓を有し、前記時表示用回転板を覆う文字板を備えるようにしてもよい。
さらに、前記向き変更部は、所定の正時における短針指示方向を示す正時方向指示用指針と、前記正時方向指示用指針を前記検出の結果に基づいて回転させる指示用指針回転駆動部と、時表示用指針の向きを前記検出の結果に基づいて前記正時方向指示用指針の回転位置に対応する位置まで駆動する指針駆動部と、を備えるようにしてもよい。
【０００６】
さらにまた、前記時情報表示部は、カレンダ表示を行うカレンダ表示部を有し、前記向き変更部は、前記カレンダ表示部を前記検出の結果に基づいて回転させるカレンダ回転駆動部を有するようにしてもよい。
また、ケースと、前記ケースに内蔵され時情報を表示する時情報表示部を備えた計時装置の制御方法は、前記ケースの置かれた状態を検出する検出過程と、前記検出の結果に基づいて前記時情報表示部の向きを変更する向き変更過程と、を、備えたことを特徴としている。
この場合において、前記向き変更過程は、所定の正時における短針指示方向を前記検出の結果に基づいて回転させる時表示回転過程と、時表示用指針の向きを前記検出の結果に基づいて前記短針指示方向の回転位置に対応する位置まで駆動する指針駆動過程と、を備えるようにしてもよい。
また、前記向き変更過程は、カレンダ表示を行うカレンダ表示部を前記検出の結果に基づいて回転させるカレンダ回転過程を備えるようにしてもよい。
【０００７】
【発明の実施の形態】
次に本発明の好適な実施の形態について図面を参照して説明する。
［１］第１実施形態
図１は、腕時計の外観正面図である。
腕時計１０は、大別すると、本体ケース１１と、上端側バンド１２と、下端側バンド１３と、を備えている。
本体ケース１１内には、秒針、分針、時針などの指針２２と、図示しない数字、文字、マークなどが印刷あるいは立体的に形成されて時刻読み取りに用いられる文字板２３と、指針２２を駆動する図示しないムーブメントと、が設けられている。
さらに本体ケース１１の図１中、右側面には、りゅうず２５が設けられ、左側面には横置き検出センサ２６が配置されている。
上端側バンド１２は、その一端が本体ケース１１の上端側に図示しない取り付け金具で取り付けられ、他端には、下端側バンド１３を留めるための留金１４が設けられている。
下端側バンド１３は、その一端が本体ケース１１の下端側に図示しない取り付け金具で取り付けられ、他端には、上端側バンド１２を留めるための複数の留孔１５が設けられている。
【０００８】
図２は、第１実施形態の腕時計の要部部分断面図である。図３は、第１実施形態の腕時計の一部断面斜視図である。
腕時計１０の本体ケース１１内には、図２に示すように、大別すると、時表示用回転板２１と、文字板２３と、キャリバー２４と、回転用歯車Ｇと、が設けられている。
キャリバー２４内には、専用モータＭが配置されており、専用モータＭの回転軸２７には時表示用回転板２１の内周面に設けられた歯２１Ａに噛合させるべく回転用歯車Ｇが取り付けられている。
時表示用回転板２１には、例えば、３、６，９、１２等の時表示用文字Ｃが印刷あるいは彫り込みなどにより形成されている。
文字板２３には、時表示用回転板２１の時表示用文字Ｃを視認可能となるように例えば４カ所に視認用窓２８が設けられている。
【０００９】
図４は時表示状態の説明図である。
このような構成を採ることにより、腕装着時には、図４（ａ）に示すように、上端側（上端側バンド１２側）に１２時に対応する時表示用文字Ｃが表示されているのに対し、図４（ａ）における９時に対応する時表示用文字Ｃが表示されている側を下にして腕時計１０を置き、横置き検出センサ２６がその旨を検出すると、腕時計１０は、専用モータＭを駆動し、回転用歯車Ｇを回転させる。
そして、時表示用回転板２１は、歯２１Ａを介して伝達された駆動力により図４（ｂ）に示すように上端側の視認用窓２８から９時に対応する時表示用文字Ｃが表示されるまで、図４中、時計回りに回転され、回転停止される。
これと並行して、図示しない計時制御部は、指針２１を駆動して、りゅうず２５側が１２時方向であるとして時刻の再表示処理を行う。この場合において、再表示処理の処理時間の観点から、少なくとも、秒針を駆動する秒針駆動部と、時分針を駆動する時分針駆動部とは、別個の駆動モータを備えるようにする、いわゆる２モータ駆動方式とするのが好ましい。さらに秒針を駆動する秒針駆動部と、分針を駆動する分針駆動部と、時針を駆動する時針駆動部とは、別個の駆動モータを備えるようにする、いわゆる３モータ駆動方式とするのがより好ましい。
この結果、図４（ｂ）に示すように、りゅうず２５側を１２時位置として正しい時刻が表示されることとなる。
以上の説明のように本第１実施形態によれば、腕時計を卓上においた場合であっても、置かれた状態で上側が１２時位置となり、時刻の視認性を向上させることができる。
【００１０】
［２］第２実施形態
図５は第２実施形態の時計の要部断面図である。また図６は第２実施形態の時計の一部分解斜視図である。図５および図６において、図２あるいは図３と同様の部分には同一の符号を付すものとする。
第２実施形態の腕時計１０Ａの本体ケース１１内には、図５に示すように、大別すると、時表示用回転板３０と、文字板３１と、キャリバー２４と、回転用歯車Ｇと、回転板押さえ板３２が設けられている。
キャリバー２４内には、専用モータＭが配置されており、専用モータＭの回転軸２７には時表示用回転板３０の内周面に設けられた歯３０Ａに噛合させるべく回転用歯車Ｇが取り付けられている。
時表示用回転板３０には、例えば、３、６，９、１２等の時表示用文字Ｃが印刷あるいは彫り込みなどにより形成されている。
文字板３１は、時表示用回転板３０の裏面から、時表示用回転板３０が回転可能に支持している。
回転板押さえ板３２は、時表示用回転板３０の表面から、時表示用回転板３０が回転可能に押さえている。
【００１１】
図７は時表示状態の説明図である。
このような構成を採ることにより、腕装着時には、図７（ａ）に示すように、上端側（上端側バンド１２側）に１２時に対応する時表示用文字Ｃが表示されているのに対し、図７（ａ）における９時に対応する時表示用文字Ｃが表示されている側を下にして腕時計１０を置き、横置き検出センサ２６がその旨を検出すると、腕時計１０は、専用モータＭを駆動し、回転用歯車Ｇを回転させる。
そして、時表示用回転板３０は、歯３０Ａを介して伝達された駆動力により図７（ｂ）に示すようにりゅうず２５側に１２時に対応する時表示用文字Ｃが表示されるまで、図７中、時計回りに回転され、回転停止される。
これと並行して、図示しない計時制御部は、指針２１を駆動して、りゅうず２５側が１２時方向であるとして時刻の再表示処理を行う。
この結果、図７（ｂ）に示すように、りゅうず２５側を１２時位置として正しい時刻が表示されることとなる。
以上の説明のように本第２実施形態によれば、腕時計を卓上においた場合であっても、置かれた状態で上側が１２時位置となり、時刻の視認性を向上させることができる。
【００１２】
［３］第３実施形態
以上の各実施形態は、カレンダ表示機構を備えていないものであったが、本第３実施形態は、カレンダ表示機構を備えている場合の実施形態である。
図８は時表示状態の説明図である。図８において図７と同様の部分には同一の符号を付すものとする。
本第３実施形態の腕時計によれば、腕装着時には、図８（ａ）に示すように、上端側（上端側バンド１２側）に１２時に対応する時表示用文字Ｃが表示されているのに対し、図４（ａ）における９時に対応する時表示用文字Ｃが表示されている側を下にして腕時計１０を置き、横置き検出センサ２６がその旨を検出すると、第２実施形態と同様の機構により、腕時計１０Ａは、専用モータＭを駆動し、回転用歯車Ｇを回転させる。
そして、カレンダ表示窓３０Ｂが設けられた時表示用回転板３０は、歯３０Ａを介して伝達された駆動力により図８（ｂ）に示すようにりゅうず２５側に１２時に対応する時表示用文字Ｃが表示されるまで、図７中、時計回りに回転され、回転停止される。
【００１３】
これと並行して、図示しない計時制御部は、指針２１を駆動して、りゅうず２５側が１２時方向であるとして時刻の再表示処理を行う。さらにカレンダ表示用の日車も図示しないカレンダ駆動機構により駆動される。
この結果、図８（ｂ）に示すように、りゅうず２５側を１２時位置として正しい時刻およびカレンダが表示されることとなる。
以上の説明のように本第３実施形態によれば、腕時計を卓上においた場合であっても、置かれた状態で上側が１２時位置となり、時刻およびカレンダの視認性を向上させることができる。
上記説明では、カレンダ機構として日車を用いる場合について説明したが、カレンダ表示用の指針を有する場合であっても同様の処理が可能である。
【００１４】
［４］第４実施形態
以上の各実施形態は時表示用回転板に時表示用文字Ｃが表示されているものであったが、本第４実施形態は、時表示用文字Ｃに代えて、１２時位置表示用指針を設けた場合の実施形態である。
図９は時表示状態の説明図である。図９において図７と同様の部分には同一の符号を付すものとする。
本第４実施形態によれば、腕装着時には、図９（ａ）に示すように、上端側（上端側バンド１２側）の１２時位置方向を指し示すように、１２時位置表示用指針４０が上端側を指し示しているのに対し、図９（ａ）における９時位置方向を下にして腕時計１０を置き、横置き検出センサ２６がその旨を検出すると、腕時計１０は、１２時位置表示用指針を図示しない専用モータを駆動して１２時位置表示用指針４０がりゅうず２５側を指し示すまで、図９中、時計回りに回転され、回転停止される。
【００１５】
これと並行して、図示しない計時制御部は、指針２１を駆動して、りゅうず２５側が１２時方向であるとして時刻の再表示処理を行う。
この結果、図９（ｂ）に示すように、りゅうず２５側を１２時位置として正しい時刻が表示されることとなる。
以上の説明のように本第４実施形態によれば、腕時計を卓上においた場合であっても、置かれた状態で上側が１２時位置となり、時刻の視認性を向上させることができる。
【００１６】
［５］第５実施形態
ディジタル表示時計
以上の各実施形態は、アナログ指針時計の場合のものであったが、本第４実施形態は、ディジタル表示を行うディジタル表示時計についての実施形態である。
図１０は時表示状態の説明図である。図１０において図７と同様の部分には同一の符号を付すものとする。
本第５実施形態の腕時計は、図１０（ａ）に示すように、液晶表示部５０を有し、時刻をディジタル表示している。
本第５実施形態によれば、腕装着時には、図１０（ａ）に示すように、液晶表示部５０は、上端側（上端側バンド１２側）を上方向として時刻表示を行っている。
【００１７】
これに対し、図１０（ａ）における９時位置方向を下にして腕時計１０を置き、横置き検出センサ２６がその旨を検出すると、図示しない計時制御部は、図示しない液晶表示制御部を介して、図１０（ａ）における３時位置方向を上方向として時刻表示を行うこととなる。
以上の説明のように本第５実施形態によれば、ディジタル表示の腕時計を卓上においた場合であっても、置かれた状態で上側が上方向として時刻のディジタル表示を行うこととなり、時刻の視認性を向上させることができる。
【００１８】
［６］実施形態の変形例
以上の説明においては、時計の置かれた状態を検出するためのセンサ（検出部）として、横置き検出センサ２６のみの場合について説明したが、リュウズ２５側にも横置き検出センサを設けたり、時計内部に時計の置かれた向きを検出するための、機械的スイッチ、光センサ、加速度センサ、傾きセンサ、ジャイロセンサなどを設けることにより、時計の置かれた様々な向きに対応させて表示状態（表示の向き）を変更し、視認性を向上させた時刻表示を行うように構成することも可能である。
以上の実施形態においては、腕時計を例として説明したが、置き時計など他の計時装置についても適用が可能である。特にさいころ型の置き時計などのように、置き方が様々考えられる場合などに適している。
【００１９】
【発明の効果】
本発明によれば、時計が置かれた状態に応じて表示の向きを変更することができ、時計の視認性を向上させることができる。
【図面の簡単な説明】
【図１】腕時計の外観正面図である。
【図２】第１実施形態の腕時計の要部部分断面図である。
【図３】第１実施形態の腕時計の一部断面斜視図である。
【図４】第１実施形態の時表示状態の説明図である。
【図５】第２実施形態の腕時計の要部部分断面図である。
【図６】第２実施形態の腕時計の一部断面斜視図である。
【図７】第２実施形態の時表示状態の説明図である。
【図８】第３実施形態の時表示状態の説明図である。
【図９】第４実施形態の時表示状態の説明図である。
【図１０】第５実施形態の時表示状態の説明図である。
【符号の説明】
１０…腕時計、１１…本体ケース、１２…上端側バンド、１３…下端側バンド１４…留金、１５…留め孔、２２…指針、２３…文字板、２４…キャリバー、２５…りゅうず、２６…横置き検出センサ、２７…回転軸、３０…、３０Ａ…歯、３１…、Ｇ…回転用歯車、Ｍ…専用モータ。
【図１】
2004271307.tif 000003
【図２】
2004271307.tif 000004
【図３】
2004271307.tif 000005
【図４】
2004271307.tif 000006
【図５】
2004271307.tif 000007
【図６】
2004271307.tif 000008
【図７】
2004271307.tif 000009
【図８】
2004271307.tif 000010
【図９】
2004271307.tif 000011
【図１０】
2004271307.tif 000012